(57)【要約】【課題】  建築および土木工事の基礎工事において、施工対象地盤に対してブロック単体で自立させることができ、容易にブロックを平坦にすることが可能で、地盤の耐荷力を強化させる際に好適に利用することができる基礎用ブロックとこれを用いた基礎工法の提供を目的としている。【解決手段】  天地方向に貫通する貫通孔２２が設けられた天板２０と、天板２０の端縁部に設けられ、天板２０と一体に形成された脚部３０とを有する基礎用ブロック１０であって、天板２０の下面は、隣り合う脚部３０間が逆Ｕ字状の曲面状に形成されていることを特徴とする基礎用ブロック１０である。【選択図】        図５
2006104825.tif 000002
【特許請求の範囲】
【請求項１】
天地方向に貫通する貫通孔が設けられた天板と、
天板の端縁部に設けられ、前記天板と一体に形成された脚部とを有する基礎用ブロックであって、
前記天板の下面は、隣り合う脚部間が逆Ｕ字状の曲面状に形成されていることを特徴とする基礎用ブロック。
【請求項２】
前記天板の側壁面には、前記基礎用ブロックを隣接させて配置する際に、隣接する前記天板間を凹凸嵌合によって連結する連結部が形成されていることを特徴とする請求項１記載の基礎用ブロック。
【請求項３】
前記天板と前記脚部とが一体に樹脂成形されてなることを特徴とする請求項１または２記載の基礎用ブロック。
【請求項４】
地盤の支持力を強化する基礎工法であって、
地盤に請求項１記載の基礎用ブロックを、前記天板を上向きとして該基礎用ブロックの側壁を隣接させながら多数個設置する工程と、
前記天板に設けられた貫通孔から、前記地盤と前記基礎用ブロックとの間の間詰め材充てん用空間に、間詰め材を充てんする工程とを含むことを特徴とする基礎工法。
【請求項５】
地盤の支持力を強化する基礎工法であって、
地盤に請求項２記載の基礎用ブロックを、前記天板を上向きとして隣接させると共に、前記天板に形成した連結部どうしを互いに凹凸嵌合させながら多数個設置する工程と、
前記天板に設けられた貫通孔から、前記地盤と前記基礎用ブロックとの間の間詰め材充てん用空間に、間詰め材を充てんする工程とを含むことを特徴とする基礎工法。
【発明の詳細な説明】
【技術分野】
【０００１】
本発明は、建築および土木の基礎工事において用いられる基礎用ブロックと、これを用いた基礎工法に関し、より詳細には、重機や薬品を用いることなく、軟弱地盤における地盤支持力を向上させることが可能な基礎用ブロックと、これを用いた基礎工法に関する。
【背景技術】
【０００２】
建築および土木工事において、軟弱地盤上に重量構造物を建造する際には、地盤の支持力を向上させるための地盤対策工を施す必要がある。従来は、軟弱地盤の下方に存在する支持地盤に杭を打ち込んで支持力を得る杭打ち工法や、軟弱地盤と良質土を置き換えする置換工法の他、セメント系の地盤改良剤を混入させる等の方法によって軟弱地盤対策工が施されていた。これらの軟弱地盤対策工は、重機の使用や薬品の使用が必須であるため、総じて施工費用は高コストであった。
近年においては、例えば、特許文献１に示すようなコマ型のコンクリートブロックを用いた地表層の強化安定化方法及びこれに用いる地表層の強化安定化用ブロックが提案されている。
【特許文献１】特公昭６３−５５５６５号公報
【発明の開示】
【発明が解決しようとする課題】
【０００３】
ところが、特許文献１の地表層の強化安定化方法およびこれに用いる地表層の強化安定化用ブロックは、コマ型（円錐形の本体部分に、円錐の中心軸を通り、円錐の高さ方向に貫通して設けられた脚部を有する形状）に形成されたブロックであるため、施工対象地盤にブロック単体のみでは自立させることができず、脚部を地中に差し込むようにしてブロックを立てながら施工しなければならないという課題や、多数のブロックを配設する際においては、地中への脚部の差し込み量にばらつきを生じるため、ブロックの上面を平坦に並べることが困難であるといった課題がある。
【０００４】
本発明は、建築および土木工事の基礎工事において、施工対象地盤に対してブロック単体で自立させることができ、容易にブロックの上面どうしを平坦にすることが可能で、地盤の耐荷力を強化させる際に好適に利用することができると共に、安価な基礎用ブロックとこれを用いた基礎工法の提供を目的としている。
【課題を解決するための手段】
【０００５】
本発明は、天地方向に貫通する貫通孔が設けられた天板と、天板の端縁部に設けられ、前記天板と一体に形成された脚部とを有する基礎用ブロックであって、前記天板の下面は、隣り合う脚部間が逆Ｕ字状の曲面状に形成されていることを特徴とする基礎用ブロックである。
【０００６】
また、前記天板の側壁面には、前記基礎用ブロックを隣接させて配置する際に、隣接する前記天板間を凹凸嵌合によって連結する連結部が形成されていることを特徴とする。
さらにまた、前記天板と前記脚部とが一体に樹脂成形されてなることを特徴とする。
【０００７】
また、他の発明は、地盤の支持力を強化する基礎工法であって、地盤に基礎用ブロックを、前記天板を上向きとして該基礎用ブロックの側壁を隣接させながら多数個設置する工程と、前記天板に設けられた貫通孔から、前記地盤と前記基礎用ブロックとの間の間詰め材充てん用空間に、間詰め材を充てんする工程とを含むことを特徴とする基礎工法である。
【０００８】
また、他の発明は、地盤の支持力を強化する基礎工法であって、前記天板を上向きとして隣接させると共に、前記天板に形成した連結部どうしを互いに凹凸嵌合させながら多数個設置する工程と、前記天板に設けられた貫通孔から、前記地盤と前記基礎用ブロックとの間の間詰め材充てん用空間に、間詰め材を充てんする工程とを含むことを特徴とする基礎工法である。
【発明の効果】
【０００９】
本発明に係る基礎用ブロックとこれを用いた基礎工法によれば、施工対象地盤に対してブロック単体で自立させて設置することができる。また、脚部が天板の端縁部に設けられているので、基礎用ブロックを配設する際において、配設範囲の端縁部に脚部を配設することができ、貫通孔からの間詰め材の充てんや基礎用ブロックの配設が容易に行える。また、複数の脚部となるため、基礎用ブロックの側方変移や不等沈下の防止にも有効である。加えて、施工対象地盤の表面を平坦にしておくだけで、ブロックの上面どうしを平坦に設置することができる。これらにより、効率的に基礎用ブロックを配設することができる。
【００１０】
さらにまた、基礎用ブロックの下面側が略逆Ｕ字状をなした曲面状に形成されているので、基礎用ブロックに充てんされた間詰め材を拘束し、間詰め材を補強する効果が得られる。これと同時に、基礎用ブロックと地盤との接触面積が大幅に増大するため、上載荷重を広く分散させることができる。
【００１１】
また、基礎用ブロックの天板どうしを凹凸嵌合により連結させる連結部が形成されているため、基礎用ブロックどうしの連結が容易に行え、基礎用ブロックの連結後における天板どうしの平坦性の確認が容易に行える。
さらにまた、前記天板と前記脚部とを一体に樹脂成形しているため、地盤強化ブロックを軽量にすることができると共に、安価に製造することが可能になる。
【発明を実施するための最良の形態】
【００１２】
以下、添付図面に基づいて本発明の実施の形態を詳細に説明する。図１は、本実施の形態における基礎用ブロックの斜視図である。図２は、図１中のＡ−Ａ線における断面図である。図３は、図１中のＢ−Ｂ線における断面図である。図４は、図１中のＣ−Ｃ線における断面図である。
【００１３】
基礎用ブロック１０は、天板２０、天板２０と一体に形成された脚部３０とを有している。
本実施の形態における天板２０は平面形状が略正方形状に形成されている。天板２０の中央部分には、天板２０の天地方向に貫通する貫通孔２２が形成されている。天板２０の側壁面の辺部分の中間部分には連結部２４が形成されている。連結部２４には、突起状に形成された嵌合突起部２４ａと凹型に形成された嵌合凹部２４ｂとが設けられている。嵌合突出部２４ａと嵌合凹部２４ｂは互いに嵌合することにより上下方向には可動であるが、水平方向には抜け止めされる形状である。具体的には、嵌合突起部２４ａは、天板２０の側壁部分における幅に比べて嵌合突起部２４ａの先端側部分の幅の方が大きく形成されている。
【００１４】
天板２０の四隅部分には、天板２０と一体に形成され、天板２０から下方にのびる脚部３０が設けられている。脚部３０は、先端部分が徐々に先細になるテーパー状に形成されている。また、図４に示すように脚部３０の外側面３０ａ、３０ａは天板２０の側壁面と面一になる平坦面に形成され、脚部３０の内側面は断面形状が円弧状に形成されている。
図２、図３に示すように、天板２２の下面側は、天板２０の中央部分に設けられた貫通孔２２と脚部３０との中間部分が球面状のアーチにより連続するように形成されている。天板２０を単体で見ると、天板２０の下面部分の形状は、椀を伏せたような略球面状をなしている。このようにして基礎用ブロック１０が形成される。
【００１５】
なお、基礎用ブロック１０には、廃ペットボトルや廃プラスチック等に代表される使い古しの合成樹脂材を材料として、樹脂成形によって製作する方法が有効である。基礎用ブロック１０の材料に廃プラスチック材を用いることで、製造コストが削減できると共に、廃プラスチック材を有効に活用できる。もちろん、新材の合成樹脂材や硬質ゴム等の他の合成樹脂材または所定の強度を有する軽量コンクリートを用いることもできる。
【００１６】
次に、基礎用ブロック１０を用いた軟弱地盤における基礎工法について説明する。図５は基礎用ブロックの配設状態を示す説明図である。図６は、基礎用ブロック配設後の説明断面図である。
まず、地盤Ｇの地表面を均した後、嵌合突起部２４ａを嵌合凹部２４ｂに嵌合させながら、地盤上の所要の範囲に基礎用ブロック１０、１０、・・・を天板２０を上にして配設する。嵌合突起部２４ａを嵌合凹部２４ｂに嵌合させる際には、図５に示すように、嵌合突起部２４ａを嵌合凹部２４ｂの上方から差し込んで嵌合させる。このようにして互いに隣接する基礎用ブロック１０、１０、・・・はそれぞれの連結部２４が互いに嵌合することにより連結される。
【００１７】
地盤Ｇは平坦面となるように予め均されているから、基礎用ブロック１０、１０、・・・を単純に置いていくだけで天板２０、２０、・・・の上面は平坦となる。天板２０、２０、・・・により水平面が形成されれば、それぞれの基礎用ブロック１０、１０、・・・は側面が互いに当接した状態で堅固に一体化され、連結された状態になる。各々の基礎用ブロック１０の天板２０の下面は、図６に示すように、断面形状が逆Ｕ字状のアーチ状に形成されているから、基礎用ブロック１０、１０、・・・の下面には曲面状となる凹面が多数形成された状態になる。
このように、曲面状の多数の凹部が形成されることによって基礎用ブロック１０に作用した荷重の伝達面積を増大させることができる。
【００１８】
以上のようにして地盤Ｇの所要範囲に基礎用ブロック１０、１０、・・・を配設すると、地盤Ｇと基礎用ブロック１０との間に隙間部分（間詰め材充てん用空間）が形成される。この隙間部分には砕石や砂等の間詰め材５０が充てんされる。間詰め材５０は、それぞれの天板２０、２０、・・・に設けられた貫通孔２２、２２、・・・の各々から充てんする。間詰め材５０の充てんにおいては、プレートランマーやバイブレーター等の締め固め機を用いて十分に締め固めを行いながら充てんする。なお、間詰め材５０に砂を用いた場合には、水をかけながらの充てんが好適である。
【００１９】
地盤Ｇと基礎用ブロック１０との間に形成された間詰め材充てん用空間に間詰め材５０の充てんが完了すれば、基礎用ブロック１０からの荷重は、間詰め材５０を介して地盤Ｇに伝達される。天板２０の下面が曲面状に形成されていること、および、脚部３０が設けられていることにより、基礎用ブロック１０から間詰め材５０を介して地盤Ｇに作用する荷重の伝達面積が増大し、地盤Ｇに作用する圧力を軽減させることができる。したがって、地盤支持力が小さい軟弱地盤であっても重量構造物を建造することが可能になる。
【００２０】
以上に本発明にかかる基礎用ブロックについて図面に基づいて詳細に説明してきたが、本発明は以上の実施の形態に限定されるものではなく、発明の要旨を変更しない範囲における各種の改良をしても本発明の技術的範囲に属することはいうまでもない。
例えば、本実施の形態においては、天板２０を正方形に形成しているが、長方形や三角形等の他の形状に形成することもできる。また、天板２０に形成される貫通孔２２についても円形形状に限定されるものではない。貫通孔２２の形状は、間詰め材５０を充てんすることができればいずれの形状であってもよい。
【００２１】
また、天板２０の側面に形成された連結部２４は、必ずしも、天板２０における全ての外周辺に形成しなくても良い。具体的には図５に示すように、基礎用ブロック１０の配設範囲の外端縁を構成する基礎用ブロック１０については、外端縁部分を構成する外周辺に連結部を設ける必要はないのはもちろんである。
さらには、天板２０の下面は単純な球面に限定されるものではなく、基礎用ブロック１０からの荷重伝達面積が増やすことが可能な他の曲面形状を採用しても良い。基礎用ブロック１０は、金型等の型枠に溶融樹脂等を注入して製造することができるため、複雑な曲線を有する形状であっても、一端金型を形成してしまえば、金型の形状を忠実に反映した基礎用ブロック１０の製造は十分可能である。
【００２２】
さらにまた、本実施の形態においては、天板２０に連結部２４を有する基礎用ブロック１０を用いているが、連結部２４が設けられていない基礎用ブロック１０を用いることも可能である。この場合、隣接する基礎用ブロック１０どうしは天板２０および脚部３０をガイドとして配設すれば良い。より好適には、図７に示すように、脚部３０の先端部分が差し込み可能な差込部６２が単数又は複数個形成されたガイドキャップ６０を予め地盤Ｇに配設し、差込部６２に各基礎用ブロック１０の脚部３０の先端部分をそれぞれ差し込むようにして配設することもできる。これによれば、連結部２４が設けられていなくても、基礎用ブロック１０は、天板２０どうしが平坦になると共に、互いの脚部３０どうしが堅固に当接した状態で地盤Ｇに配設されるため好都合である。
【図面の簡単な説明】
【００２３】
【図１】本実施の形態における基礎用ブロックの斜視図である。
【図２】図１中のＡ−Ａ線における断面図である。
【図３】図１中のＢ−Ｂ線における断面図である。
【図４】図１中のＣ−Ｃ線における断面図である。
【図５】基礎用ブロックの配設状態を示す説明図である。
【図６】基礎用ブロック配設後の説明断面図である。
【図７】ガイドキャップの説明図である。
【符号の説明】
【００２４】
１０  基礎用ブロック
２０  天板
２２  貫通孔
２４  連結部
３０  脚部
５０  間詰め材
６０  ガイドキャップ
６２  差込部
Ｇ  地盤
【図１】
2006104825.tif 000003
【図２】
2006104825.tif 000004
【図３】
2006104825.tif 000005
【図４】
2006104825.tif 000006
【図５】
2006104825.tif 000007
【図６】
2006104825.tif 000008
【図７】
2006104825.tif 000009